(57)【要約】【課題】周辺地域の騒音環境を改善することのできるサイロの排気装置を提供する。【解決手段】サイロ本体１０，１０上の排気口１８，１８に接続されるパルスエアー逆洗式のフィルタバッグ２０を備えたサイロの排気装置であって、前記フィルタバッグ２０をサイロ本体１０から外して地上付近に設置したものであり、複数個のサイロ本体１０からの排気管を合流して、前記フィルタバッグ２０を接続した上で、前記フィルタバッグ２０を防音箱５０で覆った構成のものである。【選択図】図１
2011015654.tif 000002
【特許請求の範囲】
【請求項１】
屋外に設置されるサイロの排気口から排出される空気中の粉粒体を、パルスエアー逆洗式のフィルタバッグを用いて分離除去する装置であって、
前記フィルタバッグを、パルスエアー逆洗時の騒音レベルを低減しうるように、前記サイロの排気口よりも下方に配設したことを特徴とするサイロの排気装置。
【請求項２】
前記サイロは地上から支持された縦長のサイロ本体を有しており、
前記サイロの排気口を前記サイロ本体の頂部付近に配設するとともに、
前記フィルタバッグを地上付近に配設したことを特徴とする請求項１記載のサイロの排気装置。
【請求項３】
前記サイロ本体は複数であり、
各サイロ本体の排気口に接続される排気管を合流して、前記フィルタバッグに接続したことを特徴とする請求項１又は２記載のサイロの排気装置。
【請求項４】
前記フィルタバッグを防音壁で覆ったことを特徴とする請求項１〜３のいずれか１項に記載のサイロの排気装置。
【請求項５】
前記フィルタバッグとして、地上付近に設置された他のフィルタバッグを兼用したことを特徴とする請求項１〜４のいずれか１項に記載のサイロの排気装置。
【請求項６】
前記フィルタバッグで粉粒体を分離除去した空気を、ブロアで吸引して外気に放出するように構成したことを特徴とする請求項１〜５のいずれか１項に記載のサイロの排気装置。
【発明の詳細な説明】
【技術分野】
【０００１】
本発明は、屋外に設置されるサイロの排気装置に関し、詳しくはサイロ上の排気口に接続されるパルスエアー逆洗式のフィルタバッグを備えた排気装置に係るものである。
【背景技術】
【０００２】
図３は従来の一例におけるサイロ１ａの概略構成図である。なお、同図中の黒三角矢印Ａ〜Ｅ，Ｈ，Ｉは搬送空気或いは粉粒体の搬送方向、白三角矢印Ｆ，Ｇはパルスエアーの流れ方向を示している。従来のサイロ１ａは、例えば図３に示すように、頂部１１と、側部１２と、底部１３とを有する縦型円筒状のサイロ本体１０を備えており、このサイロ本体１０内に粉粒体供給管１４から供給される粉粒体１５が貯留されるとともに、サイロ本体１０の底部１３に接続された粉粒体排出管１７の粉粒体排出弁１６を通じて、サイロ本体１０内に貯留された粉粒体１５を適宜タイミングで外部に排出するようになっている。
【０００３】
そして、サイロ本体１０上の排気口１８にフィルタバッグ２０を直接接続しており、このフィルタバッグ２０の働きにより、サイロ本体１０内に供給される粉粒体１５が排気管１９から外部に撒き散らされ、環境汚染となることを防止するようになっている。具体的には、フィルタバッグ２０のフィルタ本体２５で粉粒体１５を補足するのであるが、サイロ１ａを運転していると、フィルタ本体２５は、そこで補足した粉粒体１５による目詰まりを生じて、サイロ１ａの運転が困難となってくる。かかる事態を解消して、サイロ１ａの連続運転を行うために、フィルタ本体２５を通過する空気の流れと逆方向からパルスエアー（パルスジェット）をノズル３１から噴出して、フィルタ本体２５を逆洗するパルスエアー装置３０が設けられていた（例えば特許文献１参照）。
【発明の概要】
【発明が解決しようとする課題】
【０００４】
上記特許文献１のパルスエアー装置３０では、パルスエアーは音速に近い速度でノズル３１から吐出されるため、２０００〜４０００Ｈｚの高周波音（以下、「パルス音」という。）が発生する。
【０００５】
ところが、近年のサイロ１ａの大型化に伴い、サイロ本体１０の高さ寸法が大きくなるとともに、フィルタバッグ２０も大型化してきている。このため、パルスエアー装置３０のパルスエアーを発生させるためのパルスエアー弁３２も大口径のものが使われるようになったことから、パルス音も大きくなり、サイロ１ａが設置された周辺地域の騒音環境を悪化させることとなった。また、サイロ本体１０の高さ寸法が大きくなると、周囲に遮るものが殆どなくなることから、パルス音が遠方まで届きやすくなり、特に夜間の連続運転においては、気流にのってパルス音がさらに遠方にまで届きやすくなることから、一層深刻な事態となった。
【０００６】
また、サイロ本体１０の高さ寸法が大きくなると、フィルタバッグ２０のメンテナンスのために、サイロ本体１０の頂部１１に上って高所作業を行うこととなり、そのメンテナンス作業が困難なものとなる。
【０００７】
また、冬の寒い時期には、パルスエアー弁３２及びこのパルスエアー弁３２を開閉させるための図示しない弁開閉用電磁弁内の水分が凍って、それらの弁が作動しなくなることにより、フィルタ本体２５が目詰まりし、その役割を果たせなくなってしまうおそれがあった。
【０００８】
本発明は、上記事情に鑑みてなされたものであって、その目的とするところは、周辺地域の騒音環境等を改善することのできるサイロを提供することである。
【課題を解決するための手段】
【０００９】
本発明は、屋外に設置されるサイロの排気口から排出される空気中の粉粒体を、パルスエアー逆洗式のフィルタバッグを用いて分離除去する装置であって、前記フィルタバッグを、パルスエアー逆洗時の騒音レベルを低減しうるように、前記サイロの排気口よりも下方に配設したことを特徴とするものである。
【００１０】
本発明によれば、前記フィルタバッグを、パルスエアー逆洗時の騒音レベルを低減しうるように、前記サイロの排気口よりも下方に配設したので、従来のように、サイロの排気口に直接フィルタバッグを接続した場合に比べて、騒音源の位置が低くなる。したがって、周囲に遮るものが多くなることから、騒音が遠方まで届きにくくなり、夜間の連続運転を含めて、サイロが設置された周辺地域の騒音環境が大きく改善される。
【００１１】
また、本発明によれば、サイロに上って作業をする必要がなくなるから、フィルタバッグの掃除などのメンテナンスも簡単に出来るようになる。
【００１２】
さらに、本発明によれば、冬の寒い時期にも、パルスエアー弁及び弁開閉用電磁弁内の水分が凍りにくくなり、それらの弁の作動不良がなくなる。その結果、フィルタ本体が目詰まりするおそれがなくなり、その役割を維持することができる。
【００１３】
請求項２記載の発明のように、前記サイロは地上から支持された縦長のサイロ本体を有しており、前記サイロの排気口を前記サイロ本体の頂部付近に配設するとともに、前記フィルタバッグを地上付近に配設することが好ましい。
【００１４】
請求項２記載の発明によれば、前記サイロは地上から支持された縦長のサイロ本体を有しており、前記サイロの排気口を前記サイロ本体の頂部付近に配設するとともに、前記フィルタバッグを地上付近に配設したので、夜間の連続運転を含めて、サイロが設置された周辺地域の騒音環境がさらに大きく改善される。メンテナンスもさらに簡単に出来るようになる。冬の寒い時期にも、パルスエアー弁及び弁開閉用電磁弁内の水分が凍りにくくなり、それらの弁の作動不良がなくなる結果、フィルタ本体が目詰まりするおそれがなくなり、その役割をさらに確実に維持することができるようになる。
【００１５】
ところで、複数のサイロ本体を有する場合であっても、必ずしも同数のフィルタバッグを設ける必要はない。そこで、請求項３記載の発明のように、前記サイロ本体は複数であり、各サイロ本体の排気口に接続される排気管を合流して、前記フィルタバッグに接続することが好ましい。
【００１６】
請求項３記載の発明によれば、前記サイロ本体は複数であり、各サイロ本体の排気口に接続される排気管を合流して、前記フィルタバッグに接続したので、サイロ本体の個数に対して、フィルタバッグの個数を少なくすることができる。この場合には、フィルタバッグに接続されるサイロ本体からの排気量の合計を処理するために、フィルタバッグの容量は大きくなるものの、簡単な装置構成となり、コストを抑えることが出来る。なお、フィルタバッグの容量が大きくなれば、エアーパルス弁の口径も大きくなり、その分だけパルス音（騒音）も大きくなるものの、サイロ本体の排気口よりもフィルタバッグの高さ位置を下げたことによる周辺地域への騒音環境の改善効果の方が大きくなる場合に請求項２記載の発明を適用すればよい。
【００１７】
また、フィルタバッグをサイロの排気口よりも低い位置に設置することにより、防音対策をとりやすくなる。そこで、請求項４記載の発明のように、前記フィルタバッグを防音壁で覆うことが好ましい。
【００１８】
請求項４記載の発明によれば、前記フィルタバッグを防音壁で覆ったので、より確実にパルスエアーの騒音を防ぐことが出来る。また、この場合は、フィルタバッグが直接外気に晒されることがなくなるので、冬の寒い時期にも、パルスエアー弁及び弁開閉用電磁弁内の水分がさらに凍りつきにくくなり、凍結防止の効果もある。
【００１９】
また、すでに他のフィルタバッグが地上付近に設置されているときには、請求項５記載の発明のように、前記フィルタバッグとして、地上付近に設置された他のフィルタバッグを兼用することが好ましい。
【００２０】
請求項５記載の発明によれば、前記フィルタバッグとして、地上付近に設置された他のフィルタバッグを兼用することにより、専用のフィルタバッグが不要となるので、さらに簡単な装置構成となり、コストを抑えることが出来る。
【００２１】
また、フィルタバッグをサイロ本体から離れた位置におくと、両者間の排気管が長くなることから、スムーズな排気を行えなくなるおそれがある。そこで、請求項６記載の発明のように、前記フィルタバッグで粉粒体を分離除去した空気を、ブロアで吸引して外気に放出するように構成することが好ましい。
【００２２】
請求項６記載の発明によれば、前記フィルタバッグで粉粒体を分離除去した空気を、ブロアで吸引して外気に放出するように構成したので、よりスムーズな排気を行うことができる。
【発明の効果】
【００２３】
本発明によれば、前記フィルタバッグを、パルスエアー逆洗時の騒音レベルを低減しうるように、前記サイロの排気口よりも下方に配設したので、従来のように、サイロの排気口に直接フィルタバッグを接続した場合に比べて、騒音源の位置が低くなる。したがって、周囲に遮るものが多くなることから、騒音が遠方まで届きにくくなり、夜間の連続運転を含めて、サイロが設置された周辺地域の騒音環境が大きく改善される。
【００２４】
また、本発明によれば、サイロに上って作業をする必要がなくなるから、フィルタバッグの掃除などのメンテナンスも簡単に出来るようになる。
【００２５】
さらに、本発明によれば、冬の寒い時期にも、パルスエアー弁及び弁開閉用電磁弁内の水分が凍りにくくなり、それらの弁の作動不良がなくなる。その結果、フィルタ本体が目詰まりするおそれがなくなり、その役割を維持することができる。
【図面の簡単な説明】
【００２６】
【図１】本発明の一実施形態に係るサイロの概略構成図である。
【図２】フィルタバッグまわりの概略構成図である。
【図３】従来の一例におけるサイロの概略構成図である。
【発明を実施するための形態】
【００２７】
図１は、本発明の一実施形態に係るサイロ１の概略構成図、図２はフィルタバッグ２０まわりの概略構成図である。なお、図１においては、説明の便宜上、サイロ本体１０，１０の高さ寸法の大きさに比べて、フィルタバッグ２０等の大きさを誇張している。また、図１，２中の黒三角矢印Ａ〜Ｅ，Ｈ，Ｉは搬送空気或いは粉粒体の搬送方向、白三角矢印Ｆ，Ｇはパルスエアーの流れ方向を示している。
【００２８】
本発明の一実施形態に係るサイロ１は、例えば図１に示すように、屋外に設置されるものであって、２基のサイロ本体１０，１０に対して、フィルタバッグ２０と、パルスエアー装置３０と、ブロア４０と、防音箱（防音壁に相当する。）５０とをそれぞれ１組だけ備えており、これらの要素２０〜５０で排出装置を構成している。
【００２９】
サイロ本体１０は、例えば円板からなる頂部１１と、長尺円筒状の側部１２と、円錐ホッパ状の底部１３とからなる、鋼鉄製の縦型円筒状のものであって、その底部１３が地上から延びる図示しないサポートで支持されているものとする。頂部１１の適所には、粉粒体供給管１４が接続されており、この粉粒体供給管１４を通じて外部から空気搬送されてくる、粉粒体１５を、サイロ本体１０内に取り込むようになっている。この粉粒体１５は、例えば、ろう石、けい石などを粉砕して、適宜分級したものである。
【００３０】
サイロ本体１０内に取り込まれた粉粒体１５は、ここで重力落下して搬送空気とほぼ分離され、いわゆる粉体角でもって積層されることにより、サイロ本体１０内のレベルを上昇させる。また、底部１３の粉粒体排出管１７に設けられた粉粒体排出弁１６を開閉することにより、底部１３から適宜タイミングで外部に排出され、これにより、サイロ本体１０内の粉粒体１５のレベルを降下させる。このレベルは、マニュアルで制御するか、或いは、サイロ本体１０内に備えた図示しないレベルセンサからの出力信号により、これも図示しないコントローラが自動制御するようになっている。
【００３１】
一方、サイロ本体１０内で、粉粒体１５がほぼ分離された搬送空気は、頂部１１の中央の排気口１８から排気管１９を通り、その途中で、他のサイロ本体１０の排気管１９と合流することにより、他のサイロ本体１０からの搬送空気と一体となって、フィルタバッグ２０へと案内されるようになっている。すなわち、ここでは、２基のサイロ本体１０に対して、フィルタバッグ２０は１個だけ設けることでよいものとしている。この場合には、フィルタバッグ２０に接続されるサイロ本体１０からの排気量の合計を処理するために、フィルタバッグ２０の容量は大きくなるものの、簡単な装置構成となり、コストを抑えることが出来る。
【００３２】
フィルタバッグ２０は、図２に示すように、これも頂部２１と、側部２２と、底部２３とからなる、縦型円筒状のものであるが、その設置位置は地上付近であるものとして、サイロ本体１０の排気口１８よりもできるだけ下方となるようにしている。そして、側部２２の軸直角方向に設けられた仕切板２４を貫通するように、円筒状のフィルタ本体２５が取り付けられており、この側部２２の仕切板２４よりも下方に前記排気管１９が接続されている。底部２３の最下部には排出弁２６を介して排出管２７が接続されている。頂部２１の中央部には排気管４１が接続されており、この排気管４１の途中にブロア４０を設けて強制排気を行うようになっている。
【００３３】
フィルタバッグ２０をサイロ本体１０から離れた位置におくと、両者間の排気管１９が長くなることから、管路抵抗が増大して、スムーズな排気を行えなくなるおそれがあるところ、フィルタバッグ２０で粉粒体１５を分離除去した空気を、ブロア４０で吸引して外気に放出するように構成することとしたので、よりスムーズな排気を行うことができる。
【００３４】
フィルタ本体２５は、粉粒体を通過させず、かつ、空気だけを通過させることのできるスリット状、網状、多孔板等のいわゆるメッシュ構造である。要は、その使用時に外部圧力がかかったとしても、簡単には潰れないような構造であって、かつ、空気の通過を妨げないものであればなんでもよい。
【００３５】
パルスエアー装置３０は、フィルタバッグ２０のフィルタ本体２５にパルスエアー（パルスジェットともいう。）を供給して、フィルタ本体２５の逆洗をするためのものである。このため、パルスエアー装置３０は、その先端部が仕切板２４の上方部分を貫通して横設されたノズル３１と、ノズル３１の基部付近に設けられた例えばダイアフラム式のパルスエアー弁３２と、このパルスエアー弁３２を開閉させるための図示しない弁開閉用電磁弁とを備えている。そして、図示しないコントローラからの指令により、弁開閉用電磁弁を作動させることで、パルスエアー弁３２を作動させて、高圧空気を瞬間的に噴射させ、この高圧空気がフィルタ本体２５内部に突入したときのショックによる振動とフィルタ本体２５の外部に向かって逆流する空気でもって、フィルタ本体２５に付着した粉粒体を払い落とすようになっている。
【００３６】
防音箱５０は、フィルタバッグ２０の全体を覆うような大きさの鋼製の筐体であるが、その内側に吸音材を貼り付けることが好ましい。このようにして、より確実にパルスエアーの騒音を防ぐことが出来る。また、この場合は、フィルタバッグ２０が直接外気に晒されることがなくなるので、冬の寒い時期にも、パルスエアー弁３２及び弁開閉用電磁弁内の水分がさらに凍りつきにくくなり、凍結防止の効果もある。
【００３７】
以下、このサイロ１の使用時の手順について概略説明する。
【００３８】
まず、サイロ本体１０における頂部１１の適所に接続された粉粒体供給管１４を通じて外部から空気搬送されてくる粉粒体１５を、サイロ本体１０内に取り込む（図１中の黒三角矢印のＡ，Ｂ参照）。
【００３９】
サイロ本体１０内に取り込まれた粉粒体１５は、重力落下することにより、ここで搬送空気とほぼ分離されて、いわゆる粉体角でもって積層されることにより、サイロ本体１０内のレベルを上昇させる。また、底部１３の粉粒体排出管１７に設けられた粉粒体排出弁１６を適宜タイミングで開閉することにより、サイロ本体１０内に取り込まれた粉粒体１５を底部１３から外部に排出し、これにより、サイロ本体１０内の粉粒体１５のレベルを降下させる（図１中の黒三角矢印のＣ参照）。
【００４０】
一方、サイロ本体１０内で、粉粒体１５とほぼ分離された搬送空気は、頂部１１の中央の排気口１８から排気管１９を通り、その途中で、他のサイロ本体１０の排気管１９と合流することにより、他のサイロ本体１０からの搬送空気と一体となって、フィルタバッグ２０へと案内される（図１中の黒三角矢印のＤ，Ｅ参照）。
【００４１】
フィルタバッグ２０に案内された前記搬送空気は、フィルタ本体２５を通じてその頂部２１に接続された排気管４１からブロア４０で外部に強制排出される（図１，図２中の黒三角印のＩ参照）。その際、搬送空気に伴って送られてきた粉粒体１５はこのフィルタ本体２５の外側に付着することにより、その搬送空気からほぼ完全に分離除去される。
【００４２】
したがって、粉粒体１５をほぼ完全に分離除去した搬送空気だけが、前記ブロア４０で外部に強制排出されるので、環境汚染を防止することができる。
【００４３】
サイロ１を連続運転すると、前記フィルタバッグ２０のフィルタ本体２５の外部に付着した粉粒体が漸増してくるので、やがて、フィルタ本体２５が目詰まりしてしまい、ついにはフィルタ効果を阻害することとなる。
【００４４】
そこで、サイロ１の連続運転中にあっては、パルスエアー装置３０を作動させることが必要となる。すなわち、図示しない制御装置からの指令により、弁開閉用電磁弁を作動させることで、パルスエアー弁３２を作動させて、高圧空気を瞬間的に噴射させる（図１，図２中の白三角矢印のＦ，Ｇ参照）。この高圧空気がフィルタ本体２５内部に突入したときのショックによる振動とフィルタ本体２５の外部に向かって逆流する空気でもって、フィルタ本体２５に付着した粉粒体１５を払い落とす。
【００４５】
このときでも、本実施形態では、フィルタバッグ２０の全体を防音箱５０で覆っているので、パルスエアー逆洗時に発生するパルス音が外部に漏れることをより確実に防ぐことが出来る。また、この場合は、フィルタバッグ２０が直接外気に晒されることがなくなるので、冬の寒い時期にも、パルスエアー弁３２及び弁開閉用電磁弁内の水分がさらに凍りつきにくくなり、凍結防止の効果もある。
【００４６】
フィルタ本体２５から払い落とした粉粒体１５は、フィルタバッグ２０の底部２３の最下部に設けられた排出弁２６を適宜のタイミングで開閉することにより、排出管２７を通じて外部に排出されて回収される（図２中の黒三角矢印のＨ参照）。
【００４７】
以上説明したように、本実施形態によれば、フィルタバッグ２０をサイロ本体１０から外して地上付近に設置したので、従来のように、サイロ１の排気口１８に直接フィルタバッグ２０を接続した場合に比べて、騒音源の位置が低くなる。したがって、周囲に遮るものが多くなることから、騒音が遠方まで届きにくくなり、夜間の連続運転を含めて、サイロ１が設置された周辺地域の騒音環境が大きく改善される。
【００４８】
また、本実施形態によれば、サイロ本体１０の頂部１１に上って高所作業を行う必要がなくなるから、フィルタバッグ２０の掃除などのメンテナンスも簡単に出来るようになる。
【００４９】
さらに、本実施形態によれば、冬の寒い時期にも、パルスエアー弁３２及び弁開閉用電磁弁内の水分が凍りにくくなり、それらの弁の作動不良がなくなる。その結果、フィルタ本体が目詰まりするおそれがなくなり、その役割を維持することができる。
【００５０】
なお、上記実施形態では、サイロ本体１０は縦型円筒状のものとしたが、縦型多角筒状のものであってもよい。また、上記実施形態では、サイロ１は、２個のサイロ本体１０，１０を備えた場合を例示したが、サイロ本体１０は、１個の場合であってもよいし、或いは、３個以上の場合であってもよい。
【００５１】
また、上記実施形態では、２基のサイロ本体１０に対して、フィルタバッグ２０を個別に設けるのではなく、容量の大きなフィルタバッグ２０を１個だけ設けることとしている。しかしながら、フィルタバッグ２０の容量が大きくなれば、エアーパルス弁３２の口径も大きくなり、その分だけパルス音（騒音）も当然に大きくなる。そこで、この騒音増大に比べて、サイロ本体１０の排気口１８よりもフィルタバッグ２０の高さ位置を下げたことによる周辺地域への騒音環境の改善効果の方が大きくなる場合にのみ、上記実施形態のごとく大容量のフィルタバッグ２０を適用すればよく、その逆の場合には２基のサイロ本体１０に対して小容量のフィルタバッグ２０を個別に設けて、それらの高さ位置を下げるだけにとどめることが好ましい。
【００５２】
また、上記実施形態では、フィルタバッグ２０として、サイロ本体１０，１０の頂部１１，１１にそれぞれ設ける予定であったフィルタバッグ２０、２０の代わりに、新たなフィルタバッグ２０を追加したが、その地上付近に設置された他のフィルタバッグを兼用することにより、専用のフィルタバッグが不要となるので、さらに簡単な装置構成となり、コストを抑えることが出来る。
【００５３】
また、上記実施形態では、フィルタバッグ２０のフィルタ本体２５は１個である場合を例示したが、複数個であるのが好ましい。その場合には、あるフィルタ本体２５を逆洗している間に、他のフィルタ本体２５でもって、搬送空気をフィルタ処理することができる。これにより、サイロ１の連続運転が可能となる。
【００５４】
また、上記実施形態では、サイロ本体１０の排気口１８を、その頂部１１の中央部に設けているが、その排気機能を発揮しうる範囲であればどこにあってもよく、例えば側部１２のできるだけ高い位置に設けることとしてもよい。また、サイロ本体１０の底部１３を地上から延ばした図示しないサポートで支持するものとしているが、直接地上から支持する必要性はなく、例えば建物などを介在させてもよい。要は、フィルタバッグ２０が、サイロ本体１０の排気口１８よりも低い位置に設定されて、パルスエアー逆洗時の騒音源ができるだけ低い位置となればよいのである。
【符号の説明】
【００５５】
１  サイロ
１０  サイロ本体
１１  頂部
１２  側部
１３  底部
１４  粉粒体供給管
１５  粉粒体
１６  粉粒体排出弁
１７  粉粒体排出管
１８  排気口
１９  排気管
２０  フィルタバッグ（排気装置の一部に相当する。）
２５  フィルタ本体
３０  パルスエアー装置（排気装置の一部に相当する。）
３１  ノズル
３２  パルスエアー弁
４０  ブロア（排気装置の一部に相当する。）
４１  排気管
５０  防音箱（防音壁、排気装置の一部に相当する。）
【先行技術文献】
【特許文献】
【００５６】
【特許文献１】特開平５−９６１１３号公報
【図１】
2011015654.tif 000003
【図２】
2011015654.tif 000004
【図３】
2011015654.tif 000005